(57)【要約】【課題】本発明の課題は、従来の黒色とは違った色調、例えば、青味を帯びた黒色ボールペンや赤味を帯びた黒色ボールペン等の黒色以外の色味を帯びた黒色ボールペンを少なくとも収容するボールペンセットを提供することである。【解決手段】共通部品としてのインキ収容筒内に、異なるボールペン用インキを充填してなる複数種のボールペンレフィルを、共通部品としての軸筒内に収容し、商品としての群を形成するようにしたボールペンを、ケース内に複数本、収容してあるボールペンセットであって、前記異なるボールペン用インキが、色差を有する複数種の黒色ボールペン用インキであり、前記ケース内に、色差を有する黒色のボールペンを複数本、収容してあることを特徴とするボールペンセット。【選択図】          図１
2010158869.tif 000002
【特許請求の範囲】
【請求項１】
共通部品としてのインキ収容筒内に、異なるボールペン用インキを充填してなる複数種のボールペンレフィルを、共通部品としての軸筒内に収容し、商品としての群を形成するようにしたボールペンを、ケース内に複数本、収容してあるボールペンセットであって、前記異なるボールペン用インキが、色差を有する複数種の黒色ボールペン用インキであり、前記ケース内に、色差を有する黒色のボールペンを複数本、収容してあることを特徴とするボールペンセット。
【請求項２】
前記黒色ボールペン用インキが、少なくとも水、着色剤を含有し、該着色剤が、黒色着色剤と、該黒色着色剤を除く有色着色剤とからなり、前記黒色着色剤の含有量をＡ質量％、前記該黒色着色剤を除く有色着色剤の含有量をＢ質量％とした時、１．０≦Ａ／Ｂ≦１０．０の関係を満足する黒色ボールペン用インキを含有する黒色ボールペンを少なくとも含むことを特徴とする請求項１に記載のボールペンセット。
【請求項３】
前記黒色着色剤と、該黒色着色剤を除く有色着色剤を含有する黒色ボールペン用インキが、黒色着色剤の色と、有色着色剤の色からなる色相において、彩度が、１０％以上、５０％未満であることを特徴とする請求項２に記載のボールペンセット。
【請求項４】
前記黒色着色剤と、該黒色着色剤を除く有色着色剤を含有する黒色ボールペン用インキを収容する黒色ボールペンが、前記黒色着色剤を除く有色着色剤と略同色部を有することを特徴とする請求項２または３の何れか１項に記載のボールペンセット。
【発明の詳細な説明】
【技術分野】
【０００１】
本発明は、共通部品としてのインキ収容筒内に、異なるボールペン用インキを充填してなる複数種のボールペンレフィルを、共通部品としての軸筒内に収容し、商品としての群を形成するようにしたボールペンを、ケース内に複数本、収容してあるボールペンセットに関する。
【背景技術】
【０００２】
従来から、特開平１０−２６４５７６号「ボールペンのリフィール」で開示のように、インキ収容筒の先端に、ボールを回転自在に抱持したボールペンチップを直接あるいはチップホルダーを介して装着し、内部にボールペン用インキを直に収容してなるボールペンは、良く知られている。
【０００３】
また、共通部品としてのインキ収容筒内に、異なるボールペン用インキを充填してなる複数種のボールペンレフィルを、共通部品としての軸筒内に収容し、商品としての群を形成するようにしたボールペンを、ケース内に複数本、収容してあるボールペンセットとしては、黒、赤、青、緑などの異なるインキ色を充填したボールペンセットや、白色系のパステルブルー、パステルグリーン、パステルオレンジなどの異なるインキ色を充填したボールペンをボールペンケースに複数本収容するボールペンセット等、多面的に展開している。
【０００４】
このように、色の異なるボールペンセットを提供することで、使用目的や筆記する紙面等の色に対応した色を選択して使用している。
【先行技術文献】
【特許文献】
【０００５】
【特許文献１】特開平１０−２６４５７６号公報
【発明の概要】
【発明が解決しようとする課題】
【０００６】
しかしながら、前述の通り、ボールペンセットには、黒、青、赤、緑などの異なるインキ色による複数色のボールペンを有するが、黒色は、１種類しかなかった。特に、黒色は、公式文書などに使用するため、他の色に比べて、使用頻度が多い。
【０００７】
ところで、同一の色相であっても、彩度や明度によって受ける色感は、異なってくる。例えば、赤色、橙色、黄色は暖色系であるため、黒色であっても、こうした色を帯びた黒は、暖かみを有する。一方、青緑、青、青紫は、寒色系であるため、こうした色を帯びた黒は、冷たく落ち着いた感じを有する。また、暖色系の色は、実際よりも近く感じる進出色であるため、こうした色を帯びた黒は、実際よりも遠く感じる後退色である寒色系を帯びた黒と距離感も異なる。
【０００８】
本発明はこうした事実に鑑みてなされたもので、インキ色が黒色のボールペンを複数本収容するボールペンセットに着目し、その中でも、従来の黒色とは違った色調、例えば、青味を帯びた黒色ボールペンや赤味を帯びた黒色ボールペン等の黒色以外の色味を帯びた、インキ色が黒色のボールペンをボールペンケースに少なくとも収容したボールペンセットを提供するものである。
【課題を解決するための手段】
【０００９】
本発明は、上記課題を解決するために、
「１．共通部品としてのインキ収容筒内に、異なるボールペン用インキを充填してなる複数種のボールペンレフィルを、共通部品としての軸筒内に収容し、商品としての群を形成するようにしたボールペンを、ケース内に複数本、収容してあるボールペンセットであって、前記異なるボールペン用インキが、色差を有する複数種の黒色ボールペン用インキであり、前記ケース内に、色差を有する黒色のボールペンを複数本、収容してあることを特徴とするボールペンセット。
２．前記黒色ボールペン用インキが、少なくとも水、着色剤を含有し、該着色剤が、黒色着色剤と、該黒色着色剤を除く有色着色剤とからなり、前記黒色着色剤の含有量をＡ質量％、前記該黒色着色剤を除く有色着色剤の含有量をＢ質量％とした時、１．０≦Ａ／Ｂ≦１０．０の関係を満足する黒色ボールペン用インキを含有する黒色ボールペンを少なくとも含むことを特徴とする第１項に記載のボールペンセット。
３．前記黒色着色剤と、該黒色着色剤を除く有色着色剤を含有する黒色ボールペン用インキが、黒色着色剤の色と、有色着色剤の色からなる色相において、彩度が、１０％以上、５０％未満であることを特徴とする第２項に記載のボールペンセット。
４．前記黒色着色剤と、該黒色着色剤を除く有色着色剤を含有する黒色ボールペン用インキを収容する黒色ボールペンが、前記黒色着色剤を除く有色着色剤と略同色部を有することを特徴とする第２項または第３項の何れか１項に記載のボールペンセット。」とする。
【発明の効果】
【００１０】
本発明は、ケース内に、色差を有する黒色のボールペンを複数本、収容してあるボールペンセットを提供することができた。
【図面の簡単な説明】
【００１１】
【図１】本発明のボールペンセットを示す外観図である。
【図２】図１におけるＡ−Ａ断面図である。
【図３】図１における３本のボールペンの外観図である。
【図４】図１における１種のボールペンの外観図である。
【図５】図４におけるボールペンレフィルの外観図である。
【発明を実施するための形態】
【００１２】
本発明の特徴は、インキ色が黒色のボールペンを複数本収容するボールペンセットであって、各ボールペンの黒色ボールペン用インキが色差を有することである。
【００１３】
黒色で、色差を有するには、明度を変えることによっても実現可能であるが、黒色着色剤からなる、一種のボールペン用インキと、黒色着色剤と、該黒色着色剤を除く有色着色剤を含有することで、他の色味を帯びた黒色が実現できるので最も好ましい。尚、黒色着色剤の色及び黒色着色剤を除く有色着色剤の色とは、ボールペン用インキ中において、溶解又は分散後に呈する色のことである。
【００１４】
尚、色差については、色差計（東京電色（株）製、ＴＣ−３６００）にて、例えば、一種のボールペン用インキを基準とし、他種のボールペン用インキを測定することによって色差を求めることができる。
【００１５】
本発明に用いる黒色着色剤としては、染料、及び／または、顔料が用いることができる。染料については、直接染料、酸性染料、塩基性染料などが採用可能である。顔料については、無機、有機、加工顔料などが挙げられる。これらの黒色着色剤の含有量は、インキ組成物全量に対し、１質量％〜２０質量％が好ましく、さらに、インキ経時安定性を考慮すれば、１質量％〜１０質量％が最も好ましい。
【００１６】
また、本発明に用いる黒色着色剤を除く有色着色剤は、青、赤、黄、緑等の黒色を除く有色着色剤が利用可能であり、染料及び／または顔料を用いることができる。染料については、直接染料、酸性染料、塩基性染料などが採用可能である。顔料については、無機、有機、加工顔料などが挙げられる。これらの染料および顔料は、２種以上組み合わせて使用することができ、含有量は、前述した黒色着色剤よりも少なく、且つインキ組成物全量に対し、０．１質量％〜５．０質量％が好ましく、０．５質量％〜４．０質量％が最も好ましい。
【００１７】
尚、黒色着色剤と、該黒色着色剤を除く有色着色剤には、染料を用いることが最も好適である。これは、染料は、インキ中での溶解安定性が良く、また、染料を２種以上入れても、溶解安定するため、色調も長期間良好であるためである。
【００１８】
具体的には、黒色着色剤に用いられる染料として、ダイレクトブラック１７、同１９、同２２、同３２、同３８、同５１、同７１、同１５４、同１６８、同１９５、アシッドブラック１、同２、同２４、同２６、同３１、同５２、同１０７、Ｃ．Ｉ．ベ−シックブラック２等が例示できる。
【００１９】
また有色着色剤に用いられる染料の具体例として、直接染料は、ダイレクトエロー４、同２６、同４４、同５０、ダイレクトレッド１、同２、同４、同２３、同３１、同３７、同３９、同７５、同８０、同８１、同８３、同２２５、同２２６、同２２７、ダイレクトブルー１、同３、同１５、同４１、同７１、同８６、同１０６、同１１９、ダイレクトオレンジ６等、酸性染料は、アシッドブラック１、同２、同２４、同２６、同３１、同５２、同１０７、アシッドオレンジ５６、アシッドエロー３、同１７、同１９、同２３、同４２、同４９、同６１、アシッドレッド８、同９、同１４、同１８、同５１、同５２、同７３、同８７、同９２、同９４、アシッドブルー１、同７、同９、同２２、同６２、同９０、同１０３、アシッドグリーン３、同９、同１６、同２５、同２７、アシッドバイオレット１５、同１７等が挙げられ、これらを１種又は２種以上用いることができる。更にまた、塩基性染料としては、Ｃ．Ｉ．ベ−シックエロ−１、同２、同２１、Ｃ．Ｉ．ベ−シックオレンジ２、同１４、同３２、Ｃ．Ｉ．ベ−シックレッド１、同２、同９、同１４、Ｃ．Ｉ．ベ−シックバイオレット１、同３、同７、同１０、Ｃ．Ｉ．ベ−シックブル−３、同７、同２６、ベ−シックグリ−ン４、Ｃ．Ｉ．ベ−シックブラウン１２、Ｃ．Ｉ．ベ−シックブラック２、メチルバイオレット、ビクトリアブルーＦＢ、マラカイトグリーン、ローダミンのシリーズ等が挙げられ、これらを１種又は２種以上用いることができる。
【００２０】
黒色着色剤と、該黒色着色剤を除く有色着色剤を含有する他種の黒色ボールペン用インキは、黒色着色剤の色と、黒色着色剤を除く有色着色剤の色からなる色相において、黒色着色剤単独の彩度を０％、該黒色着色剤を除く有色着色剤単独の彩度を１００％としたとき、彩度が、１０％より小さいと、黒色着色剤の発色が強く、黒色着色剤を除く有色着色剤の色味が判断し難く、５０％以上であると、該黒色着色剤を除く有色着色剤の色味が強く、黒色に視認しにくいため、１０％以上、５０％未満が好ましく、２５％以下が最も好ましい。
【００２１】
また、黒色着色剤をＡ質量％、該黒色着色剤を除く有色着色剤をＢ質量％とした時、Ａ／Ｂ＜１．０であると、該黒色着色剤を除く有色着色剤の色味が強く、黒色に視認しにくい。Ａ／Ｂ＞１０．０であると、黒色着色剤の発色が強く、黒色着色剤を除く有色着色剤の色味が判断し難い。そのため、Ａ、Ｂの関係は、１．０≦Ａ／Ｂ≦１０．０が好ましく、２．０≦Ａ／Ｂ≦５．０が最も好ましい。
【００２２】
また、黒色着色剤と、黒色着色剤を除く有色着色剤を含有する他種の黒色ボールペン用インキは、黒色着色剤の色と、有色着色剤の色からなる色相において、黒色着色剤単独の色の明度を０％、白色の明度を１００％としたとき、明度が、２５％より大きいと、白っぽく霞んだ色となるため、各ボールペン用インキの明度は、２５％以下とすることが好ましい。
【００２３】
その他として、溶解安定性、蒸発乾燥防止等を考慮し、グリセリン、エチレングリコール等の水溶性有機溶剤、潤滑性の向上を考慮し、リン酸エステル系、シリコン系等の界面活性剤や脂肪酸やその塩、トリエタノールアミン等のｐＨ調整剤、尿素、ソルビット等の保湿剤、ベンゾトリアゾール等の防錆剤、１，２ベンゾイソチアゾリン−３−オン等の防菌剤を添加することができる。また、分散剤も適宜添加可能で、水溶性樹脂として、アクリル系樹脂、アルキッド樹脂、セルロース誘導体、ポリビニルピロリドン、ポリビニルアルコール等や、樹脂エマルジョンとして、アクリル系樹脂、ウレタン系樹脂、スチレン−ブタジエン系樹脂、ポリエステル系樹脂、酢酸ビニル系樹脂等を添加することができる。これらは単独又は２種以上組み合わせて使用することができる。
【００２４】
また、インキ粘度調整剤を用いても良く、アクリル系樹脂、アルキッド樹脂、セルロース誘導体、ポリビニルピロリドン、ポリビニルアルコール等の水溶性樹脂、キサンタンガム、架橋型アクリル酸重合体、サクシノグリカン、ガーガム等の剪断減粘性付与剤等が挙げられる。これらは、単独又は２種以上混合して使用してもよい。
【００２５】
実施例１
以下、図面を参照して本発明の実施例を説明するが、本発明のボールペンは実施例に限定されるものではない。尚、図面中同じ部材、同じ部品については同じ番号を付してある。
【００２６】
図１〜図３に示すボールペンセット１は、透明のインキ収容筒１６内に、異なるボールペン用インキ１９、３９、５９を充填したボールペン１０、３０、５０の３本を、ケース２内に収容して、色差を有する黒色のボールペンを収容したボールペンセット１を得ている。
【００２７】
図４、図５に示すように、１種のボールペン１０は、共通部品となる透明のインキ収容筒１６の先端部に、ステンレス綱材からなるチップ本体のボール抱持室に、ボール径がφ０．７ｍｍの超硬合金ボールを回転自在に抱持したボールペンチップ１８を、チップホルダー１７を介して具備し、インキ収容筒１６内に下記の配合１によって得られたボールペン用インキ１９及びグリース状のインキ追従体２０を直に充填したボールペンレフィル１５を、共通部品となる透明の軸筒１１に収容してある。また、口金１２及び尾栓１３を装着した軸筒１１の先端部に、透明のキャップ１４を着脱自在に装着して、本発明のボールペン１０を作製した。
【００２８】
インキ配合1
水                                                      ５９．５質量部
水溶性有機溶剤（エチレングリコール）                    ２０．０質量部
黒色着色剤（ダイレクトブラック１５４）                    ７．０質量部
潤滑剤（リン酸エステル系界面活性剤）                      ０．５質量部
潤滑剤（脂肪酸）                                          ０．５質量部
ｐＨ調整剤（トリエタノールアミン）                        ５．０質量部
保湿剤（尿素）                                            ５．０質量部
保湿剤（ソルビット）                                      １．５質量部
防菌剤（１，２ベンゾイソチアゾリン−３−オン）            ０．５質量部
防錆剤（ベンゾトリアゾール）                              ０．５質量部
剪断減粘性付与剤（サクシノグリカン）                      ０．１質量部
剪断減粘性付与剤（キサンタンガム）                        ０．２質量部
剪断減粘性付与剤（架橋型アクリル酸重合体）                ０．２質量部
【００２９】
インキ配合１は、先ず、黒色着色剤、水、水溶性有機溶剤、潤滑剤、保湿剤、ｐＨ調整剤、防菌剤、防錆剤をマグネットホットスターラーで加温撹拌してベースインキを作成する。その後、上記作製したベースインキを加温しながら、剪断減粘性付与剤を投入してホモジナイザー攪拌機を用いて均一な状態となるまで充分に混合攪拌した後、濾紙を用い濾過を行って、黒色のボールペン用インキ１９を得ている。
【００３０】
また、ボールペン３０、５０においてもボールペン１０と同様にして、共通部品となるインキ収容筒１６の先端部に、ボールペンチップ１８を、チップホルダー１７を介して具備し、インキ収容筒１６内に、インキ配合２又はインキ配合３によって得られたボールペン用インキ３９、５９及びグリース状のインキ追従体２０を直に充填したボールペンレフィル３５、５５を、共通部品となる軸筒１１に収容し、軸筒１１の先端部にキャップ１４を着脱自在に装着して、ボールペン３０、５０を作製してある。尚、各インキ配合、インキ消費量、インキ粘度は、表１に示す通りである。
【００３１】
表１
2010158869.tif 000003
【００３２】
インキ配合１のボールペン用インキ１９は、黒色着色剤に呈する黒色となり、インキ配合２のボールペン用インキ３９は、黒色着色剤に呈する黒色に、有色着色剤の黄色味を帯びた色となり、インキ配合３のボールペン用インキ５９は、黒色着色剤に呈する黒色に、有色着色剤の青味を帯びた色となるため、色差を有するボールペン用インキを作製してある。
【００３３】
尚、本実施例では、便宜上、ケース内に、色差を有する黒色のボールペンを３本、収容してボールペンセットを得ているが、本発明は、実施例に限定するものではなく、色差を有する黒色のボールペンを複数本、収容するボールペンセットであれば良く、例えば、ボールペン１０、３０、５０の黒色ボールペンと、青、赤、緑色などのボールペンをケースに収容するボールペンセットや、ボールペン１０、３０の黒色ボーペンと、青、赤、緑色や蛍光色、メタリック色、パステル色などのボールペンをケースに収容するボールペンセット等にしても良い。
【００３４】
また、ボールペン３０、５０には、黒色着色剤を除く有色着色剤と同色又は近似した色の同色部品を備えてある方が好ましい。具体的には、ボールペンレフィル３５は黄色、ボールペンレフィル５５は青色の尾栓、チップホルダー、グリップ、インキ追従体等、黒色着色剤を除く有色着色剤と同色又は近似した色の同色部品を備えて、ボールペン１０との識別化を行うことが好ましく、生産上、混在を防ぐことが可能になる。また、同様にボールペンケースに、黒色着色剤を除く有色着色剤と同色又は近似した色の収納部など備えることで、識別し易くなるため、より好ましい。
【００３５】
また、１００ｍ当たりのインキ消費量が多いほど、筆跡が視認しやすい。具体的には、１００ｍ当たりのインキ消費量が、５０ｍｇ以上とする。但し、インキ消費量が多すぎると、擦過性や浸透性等、新たな課題が発生する恐れがあるため、１００ｍ当たりのインキ消費量が、５０ｍｇ〜３００ｍｇ、好ましくは８０ｍｇ〜２５０ｍｇとする。
【００３６】
本実施例では、便宜上、剪断減粘性を付与した水性のボールペン用インキを用いているが、油性のボールペン用インキや水性のボールペン用インキ等、特に限定されるものではない。また、インキ粘度も特に限定されるものではないが、２０℃、剪断速度３８４ｓｅｃ−１（１００ｒｐｍ）における粘度が１００ｍＰａ・ｓを超えると、１００ｍ当たりのインキ消費量を多くし難くなるため、１００ｍＰａ・ｓ以下、好ましくは７０ｍＰａ・ｓ以下とする。また、１０ｍＰａ・ｓ未満だと、チップ先端からの垂れ下がりが発生し易くなるため、１０ｍＰａ・ｓ〜１００ｍＰａ・ｓとすることが最も好ましい。
【００３７】
インキ粘度は、ブルックフィールド社製ＤＶ−ＩＩ粘度計（Ｎｏ２７ローター）を用いて２０℃の環境下で、剪断速度３８４ｓｅｃ−１（１００ｒｐｍ）の条件にてインキ粘度を測定することができる。また、図示はしていないが、チップ内にボールを押圧するコイルスプリングを内蔵し、チップ先端からのインキ漏れ出しを抑制することが最も好ましい。
【００３８】
また、本発明のボールペンセットに用いるケースには、樹脂、金属、紙等の材料を適宜選択して用いることができる。また、ボールペンの色識別を外部から視認することが可能なため、透明又は半透明のケースを用いる方が好ましい。
【産業上の利用可能性】
【００３９】
本発明のボールペンセットは、特定の２本以上の黒色ボールペンを収納したボールペンセットあれば良く、該ボールペンは、出没機構の有無に限定されるものではないので、ノック式ボールペン、キャップ式ボールペン等、広く利用可能である。
【符号の説明】
【００４０】
１  ボールぺンセット
２  ケース
１０、２０、３０  ボールペン
１１  軸筒
１２  口金
１３  尾栓
１４  キャップ
１５、３５、５５  ボールペンレフィル
１６  インキ収容筒
１７  チップホルダー
１８  ボールペンチップ
１９、３９、５９  水性ボールペン用インキ
２０  インキ追従体
【図１】
2010158869.tif 000004
【図２】
2010158869.tif 000005
【図３】
2010158869.tif 000006
【図４】
2010158869.tif 000007
【図５】
2010158869.tif 000008